(57)【要約】【課題】商品の取付状態を確実に維持でき、その取付作業性もよい商品陳列具を提供する。【解決手段】本体シート１０に、商品を包装した包装体１の端部に設けた引掛孔１ａに引っ掛けて取り付ける取付部１２を設け、商品を吊り下げた状態で陳列する商品陳列具において、取付部１２は、その上端の少なくとも一部が連続し、本体シート１０に対して折曲可能な連続部１３と、連続部１３に連続する一対の腕部１４ａ、および、これら腕部１４ａの間に位置する舌片状の引掛片１４ｂを有する引掛部１４とからなり、連続部１３を本体シート１０に対して折り曲げるとともに、引掛部１４を連続部１３に対して折り曲げた状態で、包装体１の引掛孔１ａに引掛部１４の引掛片１４ｂを通して取り付ける構成とする。【選択図】図１
2005027960.tif 000002
【特許請求の範囲】
【請求項１】
本体シートに、商品を包装した包装体の端部に設けた引掛孔に引っ掛けて取り付ける取付部を設け、商品を吊り下げた状態で陳列する商品陳列具において、
前記取付部は、
その上端の少なくとも一部が連続し、前記本体シートに対して折曲可能な連続部と、
前記連続部に連続する一対の腕部、および、これら腕部の間に位置する舌片状の引掛片を有する引掛部とからなり、
前記連続部を本体シートに対して折り曲げるとともに、前記引掛部を連続部に対して折り曲げた状態で、前記包装体の引掛孔に前記引掛部の引掛片を通して取り付けるようにしたことを特徴とする商品陳列具。
【請求項２】
前記連続部および引掛部は、
上端の少なくとも一部を除き略矩形状に切断した外側切断線と、
前記外側切断線の両端間の連続部分に形成した第１折曲線と、
前記外側切断線の内部において、該外側切断線の両側の縦切断部に沿って縦方向に延びる一対の第１切断部、これら第１切断部の下端から外側切断線の横切断部に沿って横方向に延びる一対の第２切断部、および、これら第２切断部の内端を連続する略逆Ｕ字形状の第３切断部からなる内側切断線と、
前記内側切断線における第１切断部の上端から前記外側切断線の縦切断部に向けて横向きに延びる第２折曲線とを設け、
前記外側切断線の上部、第１折曲線、内側切断線および第２折曲線により囲繞された上側に位置する連続部と、前記外側切断線、内側切断線および第２折曲線により囲繞され、前記連続部と第２折曲線を介して連続する略倒Ｅ字形状をなす下側の引掛部とを形成したことを特徴とする請求項１に記載の商品陳列具。
【発明の詳細な説明】
【技術分野】
【０００１】
本発明は、袋やケースなどの包装体に包装した商品を吊り下げて陳列する商品陳列具に関するものである。
【背景技術】
【０００２】
本発明の商品陳列具に関連する先行技術文献情報としては次のものがある。
【０００３】
【特許文献１】登録意匠第９８４６１９号公報
【特許文献２】特開平８−２１５００４号公報
【０００４】
特許文献１には、図５（Ａ）に示すように、商品を包装した包装体１の引掛孔１ａを利用して吊り下げるもので、略Ｕ字形状の第１切断線２ａを設けるとともに、該第１切断線２ａの内側に略逆Ｕ字形状の第２切断線２ｂを設け、第２切断線２ｂ内に位置する中央の引掛片３ａと、略凹字形状の押え部３ｂとからなる取付部３を形成した商品陳列具が提供されている。この商品陳列具は、図５（Ｂ）に示すように、前記押え部３ｂを引掛片３ａと一緒に外向きに撓ませた状態で、前記引掛片３ａを内向きに撓ませ、該引掛片３ａを前記包装体１の引掛孔１ａに通すことにより、商品を吊り下げることができる。
【０００５】
特許文献２には、図６（Ａ）に示すように、略Ｗ字形状をなすように、直線状をなす並列な４本の第１切断線４ａと、隣接する第１切断線４ａの端部を連続させる半円弧状をなす３本の第２切断線４ｂとを設け、中央に位置する引掛片５ａと、両側に位置する一対の押え片５ｂとからなる取付部５を形成した商品陳列具が提供されている。この商品陳列具は、図６（Ｂ）に示すように、一対の押え片５ｂを外向きに撓ませた状態で、本体シートとの間に包装体１を挿入し、この状態で引掛片５ａを外向きに撓ませ、該引掛片５ａを前記包装体１の引掛孔１ａに通すことにより、商品を吊り下げることができる。
【発明の開示】
【発明が解決しようとする課題】
【０００６】
しかしながら、各特許文献の商品陳列具は、各取付部３，５を撓ませる（折り曲げる）ことが可能な角度に制限があるため、引掛片３ａ，５ａの先端の確認および認識が困難である。その結果、前記引掛片３ａ，５ａを包装体１の引掛孔１ａに通して引っ掛ける作業性が非常に悪いという問題がある。
【０００７】
そこで、本発明では、商品の取付状態を確実に維持でき、その取付作業性もよい商品陳列具を提供することを課題とするものである。
【課題を解決するための手段】
【０００８】
前記課題を解決するため、本発明の商品陳列具は、本体シートに、商品を包装した包装体の端部に設けた引掛孔に引っ掛けて取り付ける取付部を設け、商品を吊り下げた状態で陳列する商品陳列具において、前記取付部は、その上端の少なくとも一部が連続し、前記本体シートに対して折曲可能な連続部と、前記連続部に連続する一対の腕部、および、これら腕部の間に位置する舌片状の引掛片を有する引掛部とからなり、前記連続部を本体シートに対して折り曲げるとともに、前記引掛部を連続部に対して折り曲げた状態で、前記包装体の引掛孔に前記引掛部の引掛片を通して取り付ける構成としている。
【０００９】
この商品陳列具では、前記連続部および引掛部は、上端の少なくとも一部を除き略矩形状に切断した外側切断線と、前記外側切断線の両端間の連続部分に形成した第１折曲線と、前記外側切断線の内部において、該外側切断線の両側の縦切断部に沿って縦方向に延びる一対の第１切断部、これら第１切断部の下端から外側切断線の横切断部に沿って横方向に延びる一対の第２切断部、および、これら第２切断部の内端を連続する略逆Ｕ字形状の第３切断部からなる内側切断線と、前記内側切断線における第１切断部の上端から前記外側切断線の縦切断部に向けて横向きに延びる第２折曲線とを設け、前記外側切断線の上部、第１折曲線、内側切断線および第２折曲線により囲繞された上側に位置する連続部と、前記外側切断線、内側切断線および第２折曲線により囲繞され、前記連続部と第２折曲線を介して連続する略倒Ｅ字形状をなす下側の引掛部とを形成することが好ましい。
【発明の効果】
【００１０】
本発明の商品陳列具では、連続部を本体シートに対して折り曲げるとともに、前記引掛部を連続部に対して折り曲げた状態で、前記包装体の引掛孔に前記引掛部の引掛片を通して取り付けるため、作業者は、包装体の引掛孔と引掛片の先端との確認および認識し易い。そのため、商品の取付作業性を大幅に向上することができる。また、商品の取付状態では、連続部に連続する一対の腕部が包装体の外側に位置してストッパーの役割をなすため、取り付けた商品が離脱するのを防止できる。
【００１１】
また、前記引掛部は、略倒Ｅ字形状に形成されているため、横方向の幅を大きく確保することができる。その結果、商品の取付状態でのストッパーの役割を増大でき、商品の離脱を確実に防止することができる。
【発明を実施するための最良の形態】
【００１２】
以下、本発明の実施の形態を図面に従って説明する。
図１から図３は、本発明の実施形態に係る商品陳列具を示す。この商品陳列具は、従来と同様に所定の商品を収容した包装体１を吊り下げて陳列するものである。
【００１３】
この商品陳列具は、図２に示すように、縦方向に長い矩形状をなす厚肉のボール紙（単紙）からなる本体シート１０を備えている。この本体シート１０の上部には、商品を販売する販売店において棚などに吊り下げるための一対の吊下孔１１が設けられている。また、この吊下孔１１の下部には、複数（図示では３行６列で合計１８カ所）の取付部１２が設けられている。
【００１４】
前記取付部１２は、上端が連続する連続部１３と、該連続部１３に連続する引掛部１４とからなる。具体的には、この取付部１２は、上端を除き略矩形状に切断した外側切断線１５と、該外側切断線１５の両端間の連続部分に形成した第１折曲線２０と、前記外側切断線１５に沿って切断した内側切断線２１と、該内側切断線２１の上端から横向きに延びる第２折曲線２６とからなる。
【００１５】
前記外側切断線１５は、縦方向に延びる一対の縦切断部１６と、これら縦切断部１６の下端と連続する横切断部１７と縦切断部１６の上端と連続する切込用切断部１８とからなり、その上端の一部（中央）のみが連続するものである。言い換えれば、外側切断線１５は、上端の少なくとも一部を除き略矩形状に切断されている。前記各切断部１６，１７，１８は、それぞれ円弧状切断部１９を介して連続している。また、前記切込用切断部１８は、この外側切断線１５により囲繞された内部を折り曲げた際に、その折り曲げによる応力が集中して破断されるのを防止する作用をなすものである。
【００１６】
前記第１折曲線２０は、前記外側切断線１５の両端である切込用切断部１８の間の連続部分に罫を入れて形成したものである。
【００１７】
前記内側切断線２１は、前記外側切断線１５の内部において、両側の縦切断部１６に沿って縦方向に平行に延びる一対の第１切断部２２と、これら第１切断部２２の下端から横切断部１７に沿って横方向に延びる一対の第２切断部２３と、これら第２切断部２３の内端を連続する逆Ｕ字形状の第３切断部２４からなる。これら切断部２２，２３，２４は、外側切断線１５と同様に、それぞれ円弧状切断部２５を介して連続している。また、前記第２切断部２３は、後述する引掛片１４ｂの基部の面積を増大させるために、中央に向けて上向きに傾斜されている。
【００１８】
前記第２折曲線２６は、内側切断線２１の第１切断部２２の上端から横向きに延びるように罫を入れて形成したものである。
【００１９】
これにより、外側切断線１５の上部、第１折曲線２０、内側切断線２１および第２折曲線２６により囲繞された上側に、上端の一部が本体シート１０と連続し、該本体シート１０に対して折曲可能な連続部１３が形成される。また、前記外側切断線１５、内側切断線２１および第２折曲線２６により囲繞された下側に、前記連続部１３に連続する一対の腕部１４ａ，１４ａ、および、これら腕部１４ａ，１４ａの間に位置する舌片状の引掛片１４ｂを有する略倒Ｅ字形状をなす引掛部１４が形成される。
【００２０】
次に、このように構成した商品陳列具の使用方法について説明する。
【００２１】
図３（Ａ）に示すように、まず、連続部１３および引掛部１４を第１折曲線２０に沿って本体シート１０に対して折り曲げるとともに、引掛部１４を第２折曲線２６に沿って連続部１３に対して折り曲げる。ついで、図３（Ｂ）に示すように、包装体１における引掛孔１ａを形成した上部を前記引掛部１４における引掛片１４ｂと連続部１３との間に挿入し、引掛片１４ｂの先端を引掛孔１ａ内に位置させる。その後、図３（Ｃ）に示すように、引掛部１４が連続部１３に対して面一に延びるように、引掛部１４を連続部１３に対して折り曲げるとともに、連続部１３および引掛部１４が本体シート１０に対して面一に延びるように、連続部１３を本体シート１０に対して折り曲げる。これにより、引掛部１４の引掛片１４ｂが包装体１の引掛孔１ａ内に完全に挿通され、取付部１２に対する商品の取り付けが完了する。
【００２２】
このように、本実施形態の商品陳列具では、連続部１３を本体シート１０に対して折り曲げるとともに、前記引掛部１４を連続部１３に対して折り曲げた状態で、前記包装体１の引掛孔１ａに前記引掛部１４の引掛片１４ｂを通して取り付けるため、作業者は、包装体１の引掛孔１ａと引掛片１４ｂの先端との確認および認識し易い。そのため、商品の取付作業性を大幅に向上することができる。
【００２３】
また、取付部１２に対する商品の取付状態では、連続部１３に連続する引掛部１４の一対の腕部１４ａが包装体１の外側に位置してストッパーの役割をなすうえ、本実施形態の引掛部１４は、横方向の幅が大きい略倒Ｅ字形状に形成しているため、取り付けた商品が離脱するのを確実に防止できる。そのため、この商品陳列具に対して商品を取り付けた状態で、包装箱などに纏めて保管した場合に、この包装箱内で商品が散乱することを防止できる。
【００２４】
なお、本発明の商品陳列具は、前記実施形態の構成に限定されるものではなく、種々の変更が可能である。
【００２５】
例えば、前記実施形態では、引掛部１４は、腕部１４ａと引掛片１４ｂとの間に所定の間隔を有するように略Ｅ字形状に形成したが、図４（Ａ）に示すように、第２切断部２３’を略半円形状に形成して略Ｗ字形状としてもよい。このようにしても、図４（Ｂ），（Ｃ）に示すように、商品を取り付ける際には、引掛部１４の引掛片１４ｂの先端を確認および認識し易いため、商品の取付作業性を大幅に向上することができる。
【図面の簡単な説明】
【００２６】
【図１】本発明の実施形態に係る商品陳列具を示す斜視図である。
【図２】非使用状態の商品陳列具の正面図である。
【図３】（Ａ），（Ｂ），（Ｃ）は取付部に対する商品の取付工程を示す斜視図である。
【図４】（Ａ），（Ｂ），（Ｃ）は変形例の取付部に対する商品の取付工程を示す斜視図である。
【図５】（Ａ），（Ｂ）は従来の商品陳列具の取付部および取付状態を示す斜視図である。
【図６】（Ａ），（Ｂ）は従来の他の商品陳列具の取付部および取付状態を示す斜視図である。
【符号の説明】
【００２７】
１…包装体                      １ａ…引掛孔
１０…本体シート                １２…取付部
１３…連続部                    １４…引掛部
１４ａ…腕部                    １４ｂ…引掛片
１５…外側切断線                １６…縦切断部
１７…横切断部                  ２０…第１折曲線
２１…内側切断線                ２２…第１切断部
２３…第２切断部                ２４…第３切断部
２６…第２折曲線
【図１】
2005027960.tif 000003
【図２】
2005027960.tif 000004
【図３】
2005027960.tif 000005
【図４】
2005027960.tif 000006
【図５】
2005027960.tif 000007
【図６】
2005027960.tif 000008